【手続補正書】
【提出日】平成16年2月16日(2004.2.16)
【手続補正１】
【補正対象書類名】明細書
【補正対象項目名】発明の名称
【補正方法】変更
【補正の内容】
【発明の名称】ビデオカメラ
【手続補正２】
【補正対象書類名】明細書
【補正対象項目名】特許請求の範囲
【補正方法】変更
【補正の内容】
【特許請求の範囲】
【請求項１】
少なくともカメラレンズを有するカメラ部と記録媒体収納部を内蔵するディスクデッキ部とを有し、該ディスクデッキ部側とは異なる側面に配置されて開閉可能に取り付けられるモニタ部を備えたビデオカメラにおいて、
該ディスクデッキ部側の側面にハンドストラップが配置され、
該ディスクデッキ部は、上面が該カメラ部の上面よりも突出するように構成されていることを特徴とするビデオカメラ。
【請求項２】
少なくともカメラレンズを有するカメラ部と該カメラ部の一方側の側面に配置されて記録媒体収納部を内蔵するディスクデッキ部とを有する装置本体と、該カメラ部の他方側の側面に配置され、該装置本体に開閉可能に取り付けられるモニタ部とを備えたビデオカメラにおいて、
該ディスクデッキ部の上部を構成する該装置本体の筐体面を、該カメラ部の上部を構成する該装置本体の筐体面よりも上方に張り出して形成し、
該装置本体の該ディスクデッキ部側の側面にハンドストラップが配置されていることを特徴とするビデオカメラ。
【請求項３】
少なくともカメラレンズと撮像素子と回路基板とを有するカメラ部と該カメラ部の一方側の側面に配置され、記録媒体収納部を内蔵するディスクデッキ部とを有する装置本体と、該装置本体の該ディスクデッキ部側とは異なる側面に配置されて該装置本体に開閉可能に取り付けられるモニタ部とを備えたビデオカメラにおいて、
該装置本体は、該カメラ部の上面と底面と側面を構成するカメラ部ケースと、該カメラ部の前面を構成するフロントケースと、該カメラ部の背面を構成するリアケースと、該ディスクデッキ部の上面と底面と前面と背面を構成するディスクデッキ部ケースと、該ディスクデッキ部の側面を構成するディスクデッキ部カバーとで構成され、
該ディスクデッキ部ケースは、その上面が該カメラ部のケースの上面よりも突出するように構成され、
該装置本体の該ディスクデッキ部側の側面にハンドストラップが配置されていることを特徴とするビデオカメラ。
【請求項４】
請求項１または２において、
前記カメラ部は、前記カメラ部の少なくとも上部上面を構成するカメラ部ケースを有し、
前記ディスクデッキ部は、前記ディスクデッキ部の少なくとも上面を構成するディスクデッキ部ケースと、前記ディスクデッキ部の側面を構成するディスクデッキ部カバーとを有し、
前記ディスクデッキ部ケースまたはカバーは、その上面が前記カメラ部ケースの上面よりも突出するように構成されていることを特徴とするビデオカメラ。
【請求項５】
請求項３または４において、
前記ディスクデッキ部カバーは、前記装置本体のディスクデッキ部側の側面に開閉可能に取り付けられていることを特徴とするビデオカメラ。
【請求項６】
請求項２または３において、
前記装置本体は、前記カメラ部側の側面にモニタ収納部を備えるとともに、前記モニタ部に配置される第１操作部と、前記モニタ収納部に前記モニタ部が収納された状態で前記モニタ部と隣接する位置に配置される第２操作部とを備え、
前記第１操作部は、前記モニタ部の表示内容を制御する操作ボタンを備え、
前記第２操作部は、前記ディスクデッキ部を操作する操作ボタンを備えたことを特徴とするビデオカメラ。
【手続補正３】
【補正対象書類名】明細書
【補正対象項目名】０００１
【補正方法】変更
【補正の内容】
【０００１】
【発明の属する技術分野】
本発明は、光ディスクのデッキと一体化されたビデオカメラに係り、特に、レンズ側にマイクロホンやフラッシュ部などを備え、また、筐体側面部にモニタ部が設けられたビデオカメラに関する。


【手続補正４】
【補正対象書類名】明細書
【補正対象項目名】０００９
【補正方法】変更
【補正の内容】
【０００９】
本発明は、以上のような点に勘案してなされたものであって、その目的は、性能を高め、使い勝手が向上したビデオカメラを提供することにある。


【手続補正５】
【補正対象書類名】明細書
【補正対象項目名】００１０
【補正方法】変更
【補正の内容】
【００１０】
【課題を解決するための手段】
上記目的を達成するために、本発明は、少なくともカメラレンズを有するカメラ部と記録媒体収納部を内蔵するディスクデッキ部とを有し、該ディスクデッキ部側とは異なる側面に配置されて開閉可能に取り付けられるモニタ部を備えたビデオカメラにおいて、該ディスクデッキ部側の側面にハンドストラップが配置され、該ディスクデッキ部は、上面が該カメラ部の上面よりも突出するように構成されているものである。
【手続補正６】
【補正対象書類名】明細書
【補正対象項目名】００１１
【補正方法】変更
【補正の内容】
【００１１】
また、本発明は、少なくともカメラレンズを有するカメラ部と該カメラ部の一方側の側面に配置されて記録媒体収納部を内蔵するディスクデッキ部とを有する装置本体と、カメラ部の他方側の側面に配置され、装置本体に開閉可能に取り付けられるモニタ部とを備えたビデオカメラにおいて、ディスクデッキ部の上部を構成する装置本体の筐体面を、カメラ部の上部を構成する装置本体の筐体面よりも上方に張り出して形成し、装置本体のディスクデッキ部側の側面にハンドストラップが配置されているものである。
【手続補正７】
【補正対象書類名】明細書
【補正対象項目名】００１２
【補正方法】変更
【補正の内容】
【００１２】
また、本発明は、少なくともカメラレンズと撮像素子と回路基板とを有するカメラ部と該カメラ部の一方側の側面に配置され、記録媒体収納部を内蔵するディスクデッキ部とを有する装置本体と、装置本体のディスクデッキ部側とは異なる側面に配置されて装置本体に開閉可能に取り付けられるモニタ部とを備えたビデオカメラにおいて、装置本体は、カメラ部の上面と底面と側面を構成するカメラ部ケースと、カメラ部の前面を構成するフロントケースと、カメラ部の背面を構成するリアケースと、ディスクデッキ部の上面と底面と前面と背面を構成するディスクデッキ部ケースと、ディスクデッキ部の側面を構成するディスクデッキ部カバーとで構成され、ディスクデッキ部ケースは、その上面がカメラ部のケースの上面よりも突出するように構成され、装置本体のディスクデッキ部側の側面にハンドストラップが配置されているものである。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
【発明の実施の形態】
以下、本発明の実施形態を図面により説明する。
図１は本発明によるビデオカメラの一実施形態の前面側（カメラレンズ側）から見た斜視図であって、１はディスクデッキ部、１ａは上面、２はカメラ部、３は液晶モニタ部、４はカメラレンズ部、５はファインダ、６ａは右マイクロホン（以下、右マイクという）、６ｂは左マイクロホン（以下、左マイクという）、７はタリーランプ、８は蓋、９はフラッシュ部、１０はズーム操作部、１１はディスク操作部、１２は液晶モニタ部３の背面、１３は突出部、１４はヒンジ部、１５は表示部、１６はハンドストラップ、１７は録画モード選択ボタンである。


【手続補正１５】
【補正対象書類名】明細書
【補正対象項目名】図１
【補正方法】変更
【補正の内容】
【図１】本発明によるビデオカメラの一実施形態を前面側から見た斜視図である。